(57)【要約】【課題】観察方向に浮き出すか、あるいは反対方向に凹んで見える、遠近感のある図形を表示することができる液晶表示装置を提供する。【解決手段】液晶層１０を挟んで対向する一対の基板４，５の対向する内面それぞれに、行方向及び列方向に予め定めたピッチでマトリックス状に配列する複数の画素３を形成する電極６，７が設けられた液晶表示素子１と、液晶表示素子１の一方の基板の外面または内面に設けられ、前記画素３に対応する形状を有し、且つ可視光帯域の少なくとも一部の帯域の波長光を吸収する複数のドット１３ａが液晶表示素子１の画素ピッチよりも大きい予め定めたドットピッチで行方向及び列方向に配列させて形成されたドット状吸収層１３と、液晶表示素子の複数の画素３のうち、表示パターンに対応する表示領域内の画素をドット状吸収層１３のドットピッチとは異なるピッチで選択し、その選択画素の電極６，７間に点灯電圧を印加する表示駆動手段とを備えた。【選択図】図１
2006235315.tif 000002
【特許請求の範囲】
【請求項１】
液晶層を挟んで対向する一対の基板の対向する内面それぞれに、互いに対向する領域により行方向及び列方向に予め定めたピッチでマトリックス状に配列された複数の画素を形成する電極が設けられた液晶表示素子と、
前記液晶表示素子の一方の基板の外面または内面に設けられ、前記画素に対応する形状を有し、且つ可視光帯域の少なくとも一部の帯域の波長光を吸収する複数のドットが前記液晶表示素子の画素ピッチよりも大きい予め定めたドットピッチで行方向及び列方向に配列させて形成されたドット状吸収層と、
前記液晶表示素子の複数の画素のうち、表示パターンに対応する表示領域内の画素を前記ドット状吸収層のドットピッチとは異なるピッチで選択し、その選択画素の電極間に点灯電圧を印加する表示駆動手段とを備えたことを特徴とする液晶表示装置。
【請求項２】
表示駆動手段は、液晶表示素子の表示領域以外の領域の画素をドット状吸収層のドットピッチと同じピッチで選択し、その選択画素に点灯電圧を印加することを特徴とする請求項１に記載の液晶表示装置。
【請求項３】
ドット状吸収層の複数のドットは、液晶表示素子の選択画素の点灯色と実質的に同じ色の吸収材により形成されていることを特徴とする請求項１または２に記載の液晶表示装置。
【発明の詳細な説明】
【技術分野】
【０００１】
この発明は、遠近感のある図形を表示する液晶表示装置に関する。
【背景技術】
【０００２】
液晶表示装置として、液晶層を挟んで対向する一対の基板の対向する内面のうち、一方の基板の内面に、予め定めた形状の複数の主セグメント電極と、これらの主セグメント電極の半周の縁部に隣接させてその縁部の輪郭形状に形成された複数の副セグメント電極とを設け、他方の基板の内面に、前記複数の主セグメント電極及び副セグメント電極に対向するコモン電極を設けた液晶表示素子を備え、前記液晶表示素子に、前記主セグメント電極の形状に対応する主表示パターンと、前記副セグメント電極の形状に対応する副表示パターン（主表示パターンの半周に沿う影のような輪郭パターン）とからなる、前記副表示パターンにより厚みを表現した立体的な図形、つまり、厚みのある形状物を斜め方向から見たような図形を表示させるようにしたものがある（特許文献１参照）。
【特許文献１】特開２００１−２０１７５５号公報
【発明の開示】
【発明が解決しようとする課題】
【０００３】
しかし、上記従来の液晶表示装置は、前記副表示パターンにより厚みを表現したな図形を表示するものであり、表示図形の遠近感は無い。
【０００４】
この発明は、観察方向に浮き出すか、あるいは反対方向に凹んで見える、遠近感のある図形を表示することができる液晶表示装置を提供することを目的としたものである。
【課題を解決するための手段】
【０００５】
この発明の液晶表示装置は、液晶層を挟んで対向する一対の基板の対向する内面それぞれに、互いに対向する領域により行方向及び列方向に予め定めたピッチでマトリックス状に配列された複数の画素を形成する電極が設けられた液晶表示素子と、前記液晶表示素子の一方の基板の外面または内面に設けられ、前記画素に対応する形状を有し、且つ可視光帯域の少なくとも一部の帯域の波長光を吸収する複数のドットが前記液晶表示素子の画素ピッチよりも大きい予め定めたドットピッチで行方向及び列方向に配列させて形成されたドット状吸収層と、前記液晶表示素子の複数の画素のうち、表示パターンに対応する表示領域内の画素を前記ドット状吸収層のドットピッチとは異なるピッチで選択し、その選択画素の電極間に点灯電圧を印加する表示駆動手段とを備えたことを特徴とする。
【０００６】
この液晶表示装置において、前記表示駆動手段は、前記液晶表示素子の前記表示領域以外の領域の画素を前記ドット状吸収層のドットピッチと同じピッチで選択し、その選択画素に点灯電圧を印加するのが望ましい。
【０００７】
また、この液晶表示装置において、前記ドット状吸収層の複数のドットは、前記液晶表示素子の選択画素の点灯色と実質的に同じ色の吸収材により形成するのが好ましい。
【発明の効果】
【０００８】
この発明の液晶表示装置は、液晶層を挟んで対向する一対の基板の対向する内面それぞれに、互いに対向する領域により行方向及び列方向に予め定めたピッチでマトリックス状に配列された複数の画素を形成する電極が設けられた液晶表示素子の一方の基板の外面または内面に、前記液晶表示素子の画素に対応する形状を有し、且つ可視光帯域の少なくとも一部の帯域の波長光を吸収する複数のドットが前記液晶表示素子の画素ピッチよりも大きい予め定めたドットピッチで行方向及び列方向に配列させて形成されたドット状吸収層を設け、前記表示駆動手段により、前記液晶表示素子の複数の画素のうち、表示パターンに対応する表示領域内の画素を前記ドット状吸収層のドットピッチとは異なるピッチで選択し、その選択画素の電極間に点灯電圧を印加するようにしたものであるため、観察方向に浮き出すか、あるいは反対方向に凹んで見える、遠近感のある図形を表示することができる。
【０００９】
この液晶表示装置において、前記表示駆動手段は、前記液晶表示素子の前記表示領域以外の領域の画素を前記ドット状吸収層のドットピッチと同じピッチで選択し、その選択画素に点灯電圧を印加するのが望ましく、このようにすることにより、前記液晶表示素子の前記表示領域以外の領域を、その領域内の非選択画素からの出射光と、前記ドット状吸収層のドットピッチと同じピッチの選択画素の点灯色と前記ドット状吸収層のドットの色との合成色の光とが混ざって見える色の背景部とし、その背景中に前記遠近感のある図形を表示することができる。
【００１０】
また、この液晶表示装置において、前記ドット状吸収層の複数のドットは、前記液晶表示素子の選択画素の点灯色と実質的に同じ色の吸収材により形成するのが好ましく、このようにすることにより、前記遠近感のある図形を、前記液晶表示素子の選択画素の点灯色と実質的に同じ色で表示することができる。
【発明を実施するための最良の形態】
【００１１】
図１〜図７はこの発明の第１の実施例を示しており、図１は液晶表示装置の一部分の断面図、図２は液晶表示素子の画素配列図、図３はドット状吸収層のドット配列図、図４は表示制御手段のブロック図である。
【００１２】
この液晶表示装置は、複数の画素３が図２のように行方向及び列方向に予め定めたピッチＰでマトリックス状に配列された表示エリア２（図５参照）を有する液晶表示素子１と、前記液晶表示素子１の一方の基板の外面に設けられ、前記液晶表示素子１の画素３に対応する形状を有し、且つ可視光帯域の少なくとも一部の帯域の波長光を吸収する複数のドット１３ａが図３のように前記液晶表示素子１の画素ピッチＰよりも大きい予め定めたドットピッチＰｎで行方向及び列方向に配列させて形成されたドット状吸収層１３と、前記液晶表示素子１の観察側（図１において上側）とは反対側に配置され、前記液晶表示素子１の表示エリア２の全域に向けて無彩色光を出射する面光源１４と、図４に示した表示駆動手段１５とを備えている。
【００１３】
前記液晶表示素子１は、液晶層１０を挟んで対向する一対の透明基板４，５の対向する内面それぞれに、互いに対向する領域により行方向及び列方向にマトリックス状に配列する複数の画素を形成する透明電極６，７を設けたものであり、前記一対の基板４，５は、その外周部において図示しない枠状のシール材を介して接合されており、液晶層１０は、前記一対の基板４，５間の前記シール材で囲まれた領域に設けられている。
【００１４】
この液晶表示素子１は、一方の基板、例えば観察側とは反対側の基板（以下、後基板という）４の内面に、行方向及び列方向にマトリックス状に配列する複数の画素電極６を設け、他方の基板、つまり観察側の基板（以下、前基板という）５の内面に、前記複数の画素電極６に対向する一枚膜状の対向電極７を設けたアクティブマトリックス液晶表示素子であり、図１では省略しているが、前記後基板４の内面には、前記複数の画素電極６にそれぞれ接続された複数のＴＦＴ（薄膜トランジスタ）と、各行のＴＦＴにゲート信号を供給する複数のゲート配線と、各列のＴＦＴに画像データ信号を供給する複数のデータ配線が設けられている。
【００１５】
また、この液晶表示素子１は、前記基板４，５間に、予め定めた色の二色性染料を添加した誘電異方性が負のネマティック液晶を封入し、その液晶分子及び染料分子を、両方の基板４，５の内面に前記電極６，７を覆って設けられた垂直配向膜８，９により基板４，５面に対して実質的に垂直に配向させたノーマリーホワイトモードのＧ・Ｈ（ゲスト・ホスト）型液晶表示素子であり、前記面光源１４からの入射光のうち、非選択画素に入射した光を、無彩色光のまま透過させて観察側に出射し、電極６，７間に液晶分子を染料分子とともに基板４，５面に対して倒伏配向させる点灯電圧が印加された選択画素に入射した光を、前記二色性染料によりその色に着色して観察側に出射する。
【００１６】
このＧ・Ｈ型液晶表示素子１は、その表示のコントラストを高くするために前記一対の基板４，５の外面にそれぞれ配置された後側偏光板１１及び前側偏光板１２を備えている。
【００１７】
一方、前記ドット状吸収層１３は、図では簡略化しているが、透明フィルム面に前記複数のドット１３ａを印刷したものであり、これらのドット１３ａは、前記液晶表示素子１の選択画素からの出射光の色、つまり前記選択画素の点灯色（二色性染料の色）と実質的に同じ色の吸収材、例えば前記選択画素の点灯色が青の場合は青色顔料を混入した感光性樹脂または青色塗料等により、前記液晶表示素子１の画素３に対応する形状、つまり前記画素３の形状と実質的に同じ形状に印刷されている。
【００１８】
このドット状吸収層１３は、前記液晶表示素子１の一方の基板、例えば後基板４の外面に、その基板面に貼付けるか、あるいは前記後側偏光板１１の前記後基板４に対向する面に貼付けられている。
【００１９】
なお、前記ドット状吸収層１３の複数のドット１３ａは、前記液晶表示素子１の後基板４の外面に印刷等の手段により形成してもよい。
【００２０】
前記ドット状吸収層１３の複数のドット１３ａは、図１及び図３に示したように、前記液晶表示素子１の画素ピッチＰの整数倍のピッチ、例えば前記画素ピッチＰの５倍のドットピッチＰｎで、前記液晶表示素子１の行方向及び列方向における４つ置きの画素３にそれぞれ対向させて配列されている。
【００２１】
また、前記表示駆動手段１５は、図４に示したように、前記液晶表示素子１の複数のゲート配線に順次ゲート信号を印加する走査ドライバ１６と、前記ゲート信号の印加に同期させて前記複数のデータ配線に液晶表示素子１に表示させる表示パターンのデータ信号を印加するデータ書込みドライバ１７と、前記走査ドライバ１６と書込みドライバ１７とを制御する制御部１８とからなっている。
【００２２】
この表示駆動手段１５は、前記液晶表示素子１の複数の画素３のうち、前記表示パターンに対応する表示領域以外の領域（以下、非表示領域という）の画素３を前記ドット状吸収層１３のドットピッチＰｎと同じピッチで選択して、その選択画素に点灯電圧（液晶分子を染料分子とともに倒伏配向させる電圧）を印加し、前記液晶表示素子１の前記表示パターンに対応する表示領域内の画素３を前記ドット状吸収層１３のドットピッチＰｎとは異なるピッチで選択し、その選択画素の電極４，５間に前記点灯電圧を印加する。
【００２３】
図５は前記液晶表示素子１の表示例を示す正面図、図６は図５のVI部の拡大図であり、ここでは、液晶表示素子１の表示エリア２の一部に「Ａ」の文字パターンの図形を、その表示領域ａ内の画素３を前記ドット状吸収層１３のドットピッチＰｎよりも小さいピッチ、例えば前記ドット状吸収層１３のドットピッチＰｎの４／５のピッチＰａで選択し、その選択画素の電極４，５間に前記点灯電圧を印加した例を示している。
【００２４】
図５及び図６のように、前記液晶表示素子１の表示エリア２の非表示領域ｂは、前記液晶表示素子１の複数の画素３を、前記ドット状吸収層１３のドットピッチＰｎと同じピッチで選択して点灯させた領域であり、前記ドットピッチＰｎは前記液晶表示素子１の画素ピッチＰよりも大きく（この実施例では画素ピッチＰの５倍のピッチ）、また、選択画素（図６においてハッチングを施した画素）３ａの点灯色と前記ドット１３ａの色が同じであるため、前記非表示領域ｂは、その領域ｂ内の非選択画素（図６においてハッチングの無い画素）３ｂからの出射光（無彩色光）と、前記ドット状吸収層１３のドットピッチＰｎと同じピッチの選択画素３ａの点灯色と前記ドット状吸収層１３のドット１３ａの色（選択画素３ａの点灯色と実質的に同じ色）との合成色の光とが混ざって見える色（例えば選択画素３ａの点灯色とドット１３ａの色が青である場合は青味を帯びた白色）の背景部となる。
【００２５】
一方、前記液晶表示素子１の表示エリア２の表示領域ａは、前記液晶表示素子１の複数の画素３を、前記ドット状吸収層１３のドットピッチＰｎとは異なるピッチＰａで選択して点灯させた領域であるため、液晶表示素子１の選択画素３ａとドット状吸収層１３のドット１３ａとの行方向及び列方向への周期的なずれにより、前記表示領域ａ内の各部に、前記選択画素３ａから出射した点灯色光と前記ドット１３ａにより着色された光との干渉による同心円状のモアレ縞ができ、そのモアレ縞からなる無数の点により前記表示パターンに対応する図形が表示される。
【００２６】
この表示図形は、前記表示領域ａの単位面積内の選択画素３ａ及び前記ドット１３ａの分布密度が前記非表示領域ｂの分布密度よりも高いため、前記非表示領域ｂの背景色よりも濃い色（例えば選択画素３ａの点灯色とドット１３ａの色が青である場合は、青味の強い色）である。
【００２７】
すなわち、前記液晶表示素子１の複数の選択画素３ａと前記ドット状吸収層１３の複数のドット１３ａとをそれぞれ着色ドットと考え、その一方のドットが前記ピッチＰａで並んだ層と、他方のドットが前記一方のドットのピッチＰａとは異なるピッチＰｎで並んだ層とを重ねると、そのときの前記ドットの並び方向の各座標ｘにおける光強度Ｉは、Ｃを定数として、
Ｉ＝cos２π（ｘ／Ｐａ）＋cos２π（ｘ／Ｐｎ）＋Ｃ  …（１）
で表される。
【００２８】
ここで、前記ピッチＰａ，Ｐｎの平均ピッチをＰ０として、
Ｐａ＝Ｐ０＋ΔＰ，Ｐｎ＝Ｐ０−ΔＰ
と表し、また、Ｐ０＞＞ΔＰとすると、前記（１）式は、
Ｉ＝２cos２π（ｘ／Ｐ０）・cos２π（ｘΔＰ／Ｐ０２）＋Ｃ  …（１）
と表せる。
【００２９】
つまり、Ｐ０２／ΔＰで表される大きいピッチの明暗が生じ、このような大きなピッチで明暗が変化するため、前記表示領域ａが非表示領域（背景部）ｂとは明るさが異なって見え、前記表示領域ａの表示図形を肉眼で認識できる。
【００３０】
そして、この液晶表示装置は、前記ドット状吸収層１３を、前記液晶表示素子１の観察側とは反対側の後基板４の外面に設け、前記液晶表示素子１の表示領域ａ内の画素３を前記ドット状吸収層１３の複数のドット１３ａのドットピッチＰｎよりも小さいピッチＰａで選択して、その選択画素３ａを電極４，５間への点灯電圧の印加により点灯させるようにしているため、前記表示領域ａの表示図形が、観察方向に浮き出して見える。
【００３１】
図７は、前記液晶表示装置の表示図形が見える位置を示す模式図であり、前記ドット状吸収層１３は液晶表示素子１の液晶層１０に対して観察側とは反対側に設けられているため、上記のように液晶表示素子１の表示領域ａ内の画素３を前記ドット状吸収層１３のドットピッチＰｎよりも小さいピッチＰａで選択して点灯させると、前記ドット状吸収層１３の各ドット１３ａとそれに対応する選択画素３ａとが重なって見える角度方向が、液晶表示素子１の法線に対して斜め方向にずれる。そして、観察者の左右の眼で角度の異なる２つの方向（前記法線に対して一方の方向に傾いた方向とその反対方向に傾いた方向）から前記各ドット１３ａと選択画素３ａとが重なった異なる２つの点を見るため、この異なる２つの点が観察者には、左右の眼で１つの点を見ているように感じられ、前記２つの方向の交点Ｌ、つまり液晶表示素子１の液晶層１０に対して観察側にずれた点に表示図形があるように見え、その図形が観察方向に浮き出して見える。
【００３２】
つまり、画素ピッチＰとドットピッチＰｎよりも十分大きなピッチで明暗が変化するモアレによる多数の点が、実際の表示面から浮き上がって観察され、これらの浮き上がって観察される複数の点により表示領域が構成されるため、表示図形が観察方向に浮き出して見える。
【００３３】
このように、前記液晶表示装置は、複数の画素３が行方向及び列方向に予め定めたピッチＰでマトリックス状に配列された液晶表示素子１の後基板４の外面に、前記液晶表示素子１の画素３に対応する形状を有し、且つ可視光帯域の少なくとも一部の帯域の波長光を吸収する複数のドット１３ａが前記液晶表示素子１の画素ピッチＰよりも大きい予め定めたドットピッチＰｎで行方向及び列方向に配列させて形成されたドット状吸収層１３を設け、前記表示駆動手段１５により、前記液晶表示素子１の複数の画素３のうち、表示パターンに対応する表示領域ａ内の画素３を前記ドット状吸収層１３のドットピッチＰｎよりも小さいピッチＰａで選択し、その選択画素３ａの電極６，７間に点灯電圧を印加するようにしたものであるため、観察方向に浮き出して見える遠近感のある図形を表示することができる。
【００３４】
また、この液晶表示装置は、前記表示駆動手段１５を、前記液晶表示素子１の非表示領域（表示領域ａ以外の領域）ｂの画素３を前記ドット状吸収層１３のドットピッチＰｎと同じピッチで選択し、その選択画素３ａに点灯電圧を印加するように構成しているため、前記液晶表示素子１の非表示領域ｂを、その領域ｂ内の非選択画素３ｂからの出射光と、前記ドット状吸収層１３のドットピッチＰｎと同じピッチの選択画素３ａの点灯色と前記ドット状吸収層１３のドット１３ａの色との合成色の光とが混ざって見える色の背景部とし、その背景中に前記遠近感のある図形を表示することができる。
【００３５】
さらに、この液晶表示装置は、前記ドット状吸収層１３の複数のドット１３ａを、前記液晶表示素子１の選択画素３ａの点灯色と実質的に同じ色の吸収材により形成しているため、前記遠近感のある図形を、前記液晶表示素子１の選択画素３ａの点灯色と実質的に同じ色で表示することができる。
【００３６】
なお、上記実施例では、液晶表示素子１の表示パターンに対応する表示領域ａ内の画素３をドット状吸収層１３のドットピッチＰｎよりも小さいピッチＰａで選択しているが、前記液晶表示素子１の表示領域ａ内の画素３を前記ドット状吸収層１３のドットピッチＰｎよりも大きいピッチで選択し、その選択画素３ａの電極６，７間に点灯電圧を印加してもよい。
【００３７】
図８は、前記ドット状吸収層１３を液晶表示素子１の液晶層１０に対して観察側とは反対側に設け、液晶表示素子１の表示領域ａ内の画素３を前記ドット状吸収層１３のドットピッチＰｎよりも大きいピッチＰｂで選択して点灯させたときの表示図形が見える位置を示す模式図であり、この場合は、観察者に左右の眼で１つの点を見ているように感じられるドット状吸収層１３のドット１３ａとそれに対応する選択画素３ａとが重なって見える２つの点の角度方向の交点Ｌが、液晶表示素子１の液晶層１０に対して観察側とは反対側にずれ、表示図形が観察方向とは反対方向に凹んで見える。
【００３８】
上記液晶表示装置において、前記表示駆動手段１５は、液晶表示素子１に表示させる複数の図形のうち、一部の図形を、その表示領域内の画素３を前記ドット状吸収層１３のドットピッチＰｎよりも小さいピッチで選択して点灯させ、他の図形を、その表示領域内の画素３を前記ドット状吸収層１３のドットピッチＰｎよりも大きいピッチで選択して点灯させるように構成してもよく、このようにすることにより、観察方向に浮き出して見える図形と、反対方向に凹んで見える図形とを同時に表示することができる。
【００３９】
また、前記表示駆動手段１５は、液晶表示素子１に表示させる図形の予め定めた部分を、その表示領域内の画素３を前記ドット状吸収層１３のドットピッチＰｎよりも小さいピッチで選択して点灯させ、前記図形の他の部分を、その表示領域内の画素３を前記ドット状吸収層１３のドットピッチＰｎよりも大きいピッチで選択して点灯させるように構成してもよく、このようにすることにより、前記予め定めた部分が観察方向に浮き出して見え、他の部分が反対方向に凹んで見える図形を表示することができる。
【００４０】
さらに、上記実施例の液晶表示装置は、前記ドット状吸収層１３を、液晶表示素子１の後基板（観察側とは反対側の基板）４の外面に設けているが、前記ドット状吸収層１３を、前記液晶表示素子１の前基板（観察側の基板）５の外面に設け、前記ドット状吸収層１３のドットピッチＰｎに対する液晶表示素子１の表示領域ａの選択画素３ａのピッチ大小と、表示図形の遠近感との関係を上記実施例と逆にしてもよい。
【００４１】
また、上記実施例の液晶表示装置は、前記表示駆動手段１５を、液晶表示素子１の非表示領域ｂの画素３をドット状吸収層１３のドットピッチＰｎと同じピッチで選択し、その選択画素３ａに点灯電圧を印加するように構成したものであるが、前記表示駆動手段１５は、前記液晶表示素子１の非表示領域ｂの全ての画素３を非選択とするように構成してもよい。
【００４２】
さらに、上記液晶表示装置は、ドット状吸収層１３を液晶表示素子１の一方の基板（上記実施例では後基板４）の外面に設けたものであるが、前記ドット状吸収層１３は、図９に示した第２の実施例のように、液晶表示素子１の一対の基板４，５の外面に配置された偏光板１１，１２のいずれか一方の外面（図では前偏光板１２の外面）に設けてもよく、また、図１０に示した第３の実施例のように、液晶表示素子１の一対の基板４，５のいずれか一方の内面（図では前基板５の内面）に前記ドット状吸収層１３を設けてもよい。
【００４３】
また、上記各実施例の液晶表示装置は、液晶表示素子１の観察側とは反対側に面光源１４を配置したものであるが、前記面光源１４に代えて、前記液晶表示素子１にその観察側から入射した光（例えば液晶表示装置の使用環境の光である外光）を反射する反射膜を配置し、反射表示により遠近感のある図形を表示するようにしてもよく、その場合は、液晶表示素子１の後側の偏光板１１を省略し、前記反射膜を前記液晶表示素子１の後基板４の外面または内面に形成して、前側偏光板１２に偏光子と検光子とを兼ねさせた１枚偏光板による反射表示を行なうようにしてもよい。
【００４４】
さらに、上記各実施例の液晶表示装置は、表示のコントラストを高くするための偏光板１１，１２を備えたＧ・Ｈ型液晶表示素子１を用いたものであるが、液晶表示素子は、前記偏光板１１，１２を備えないＧ・Ｈ型液晶表示素子でもよい。
【００４５】
また、液晶表示素子は、アクティブマトリックス液晶表示素子に限らず、単純マトリックス液晶表示素子でもよく、さらに、Ｇ・Ｈ型液晶表示素子に限らず、ＴＮ（ツイステッドネマティック）型液晶表示素子や、非ツイストのホモジニアス配向型液晶表示素子等でもよい。
【００４６】
その場合は、液晶表示素子をノーマリーホワイトモードの白黒表示素子とし、その一方の基板の外面または内面に黒色の複数のドット状吸収層を設けても、あるいは、前記液晶表示素子を、表示エリアの全域にわたって背景部を着色背景にするための１色のカラーフィルタを備え、着色背景中に黒の図形を表示するノーマリーホワイトモードの表示素子とし、その一方の基板の外面または内面に黒色の複数のドット状吸収層を設けてもよい。
【００４７】
また、前記Ｇ・Ｈ型液晶表示素子においても、前記ＴＮ型やホモジニアス配向型の液晶表示素子等においても、複数のドット状吸収層は、液晶表示素子の選択画素の点灯色とは異なる色の吸収材により形成してもよい。
【図面の簡単な説明】
【００４８】
【図１】この発明の第１の実施例を示す液晶表示装置の一部分の断面図。
【図２】液晶表示素子の画素配列図。
【図３】ドット状吸収層のドット配列図。
【図４】表示制御手段のブロック図。
【図５】前記液晶表示素子の表示例を示す正面図。
【図６】図５のVI部の拡大図。
【図７】前記液晶表示装置の表示図形が見える位置を示す模式図。
【図８】前記液晶表示素子の表示領域内の画素をドット状吸収層のドットピッチよりも大きいピッチで選択して点灯させたときの表示図形が見える位置を示す模式図。
【図９】この発明の第２の実施例を示す液晶表示装置の一部分の断面図。
【図１０】この発明の第３の実施例を示す液晶表示装置の一部分の断面図。
【符号の説明】
【００４９】
１…液晶表示素子、２…表示エリア、３…画素、４，５…基板、６，７…電極、１０…液晶層、１１，１２…偏光板、１３…ドット状吸収層、１３ａ…ドット、１４…面光源、１５…表示駆動手段。
【図１】
2006235315.tif 000003
【図２】
2006235315.tif 000004
【図３】
2006235315.tif 000005
【図４】
2006235315.tif 000006
【図５】
2006235315.tif 000007
【図６】
2006235315.tif 000008
【図７】
2006235315.tif 000009
【図８】
2006235315.tif 000010
【図９】
2006235315.tif 000011
【図１０】
2006235315.tif 000012